(57)【要約】【課題】ブラジャー本体のみで下着として着用することも、カバー体を装着してアウターのように見せることも可能なブラジャーを提供すること。【解決手段】土台片３に左右一対のカップ部４を設け、土台片３の両側に背部バンド５を取り付けたブラジャー本体１と、ブラジャー本体１に着脱自在に装着されて、土台片３及びカップ部４の表面を覆うカバー体２とから成る。土台片３の両側上下部に止め具６を設け、カバー体２の両側縁に沿って引き絞り可能なリボン８を配設し、リボン８を止め具６に縛り付けることにより、カバー体２をブラジャー本体１に装着しても良い。【選択図】図１
0003118767.tif 000002
【実用新案登録請求の範囲】
【請求項１】
土台片に左右一対のカップ部を設け、前記土台片の両側に背部バンドを取り付けたブラジャー本体と、該ブラジャー本体に着脱自在に装着されて、前記土台片及びカップ部の表面を覆うカバー体とから成ることを特徴としたブラジャー。
【請求項２】
前記土台片の両側上下部に止め具を設けると共に、前記カバー体の両側縁に沿って引き絞り可能なリボンを配設し、該リボンを前記止め具に縛り付けることにより、前記カバー体を前記ブラジャー本体に装着する請求項１に記載されたブラジャー。
【考案の詳細な説明】
【技術分野】
【０００１】
本考案は、ブラジャーに関する。
【背景技術】
【０００２】
通常のブラジャーは下着であって、様々な装飾が施されているとはいえ、外観はあくまでも下着として形成されており、外衣から露出させて着用するようになっていない。
一方、近年、キャミソール、チューブトップ等の衣服を外衣の胸元から露出させることが流行している。このような衣服は補整機能を備えていないので、ブラジャーの上に着用することになる。
しかし、ブラジャーとチューブトップ等を重ねて着ると、上縁がずれてブラジャーが見えてしまうこともある。
【０００３】
また、チューブトップ等の衣服は胸元から下の上半身を覆ってしまうため、薄手の外衣を着用する場合にはごわごわして不快であるばかりか、夏季等には暑苦しい。
さらに、胸元から露出させることができるキャミソールブラジャーが市販されているが、このブラジャーも上半身を覆って強く締め付けるので、着用感が悪く、暑苦しいという欠点を解消することはできない。
結局、胸囲部だけに着用して、外衣から露出させることもでき、補整用下着としての機能も発揮するブラジャーは従来知られていなかった。
【考案の開示】
【考案が解決しようとする課題】
【０００４】
本考案が解決しようとする課題は、ブラジャー本体のみで下着として着用することも、カバー体を装着してアウターのように見せることも可能なブラジャーを提供することにある。
【課題を解決するための手段】
【０００５】
本考案のブラジャーは、土台片に左右一対のカップ部を設け、前記土台片の両側に背部バンドを取り付けたブラジャー本体と、該ブラジャー本体に着脱自在に装着されて、前記土台片及びカップ部の表面を覆うカバー体とから成る。
前記土台片の両側上下部に止め具を設けると共に、前記カバー体の両側縁に沿って引き絞り可能なリボンを配設し、該リボンを前記止め具に縛り付けることにより、前記カバー体を前記ブラジャー本体に装着しても良い。
【考案の効果】
【０００６】
請求項１に係る考案によれば、ブラジャー本体のみを通常のブラジャーと同様に下着として着用することができる。一方、カバー体を装着して胸元に覗かせると、土台片及びカップ部が隠れて、あたかもチューブトップを着用しているように見える。
また、実際にブラジャーの上にチューブトップを重ねた時のように、ブラジャー本体とカバー体とがずれて見えることも無く、胸部を取り巻くだけなのでチューブトップのように暑苦しくない。
さらに、ブラジャー本体の土台片及びカップ部の表面を凹凸のあるレース等の素材で形成した場合には、カバー体で被覆することにより、薄い外衣を重ねて着用しても外面に凹凸が浮き上がらず体裁がよい。
請求項２に係る考案によれば、リボンを引き絞ることによりカバー体の両側にギャザーが寄り、カバー体が立体的に変形するので、ブラジャー本体に被せた時に隆起したカップ部に馴染みやすい。
【考案を実施するための最良の形態】
【０００７】
以下、本考案の実施例を図面に基づいて詳細に説明する。図１は、ブラジャー本体とカバー体とを分離した状態の斜視図、図２は、ブラジャー本体の正面図、図３は、カバー体をブラジャー本体に装着した状態の斜視図である。
図１に示すように、本考案のブラジャーは、ブラジャー本体１と、ブラジャー本体１に着脱自在に装着されるカバー体２とを備える。
ブラジャー本体１は、土台片３の両側に左右一対のカップ部４を設け、土台片３の両側に背部バンド５を取り付けて成る。
図２に示すように、これら土台片３、カップ部４及び背部バンド５は、一般的なブラジャーとほぼ同様の構造を有するが、土台片３の両側上下には、短いテープを折り返してループ状に形成した止め具６が取り付けられている。
【０００８】
カバー体２は、土台片３とほぼ同じ幅で、上下寸法は土台片３及びカップ部４よりやや大きく形成されている。また、カバー体２は、様々な色彩に着色したり、模様を描いたり、刺繍を施す等により、装飾性を高めた布を素材としている。
図１に示すように、カバー体２の両側縁には、裏面へ折り返して縫着することにより筒部７が形成され、筒部７にリボン８がそれぞれ２本ずつ挿通されている。リボン８は筒部７よりも長く形成され、その両端部に抜け止め用の大径部９が形成されている。
従って、筒部７に通した一方のリボン８の一端部と他方のリボン８の他端部をつまんで互いに逆方向へ引っ張ると、カバー体２の側縁が引き絞られる。
【０００９】
図３に示すように、カバー体２を土台片３及びカップ部４の表面に被せ、左右上下のリボン８をそれぞれ対応する止め具６に縛り付けることにより、カバー体２をブラジャー本体１に装着し、土台片３及びカップ部４をカバー体２で被覆できる。
この時、カバー体２の側縁を引き絞ってギャザーを形成してあると、カバー体２が立体的に変形するので、隆起したカップ部４にフィットする。
また、カバー体２の上部中央にはスリット１０が形成され、スリット１０の両側及び下部に沿って裏面へ折り返して縫着することにより、連続したテープ挿通部１１が形成される。テープ挿通部１１には、両端に抜け止め様の大径部９’を形成した長いテープ１２が挿通される。
【００１０】
カバー体２を装着せずに、ブラジャー本体１のみを通常のブラジャーと同様に下着として着用することができる。
一方、カバー体２をブラジャー本体１の表面に装着した状態で着用し、外衣の胸元から露出させると、ブラジャー本体１は隠れてカバー体２のみが見えるので、外衣の下にチューブトップを着用しているかのような体裁となる。また、カバー体２の上縁中央部から延びるテープ１２の両端部を首の後に回して結び止める。
なお、カバー体２のデザインは適宜変更することができ、首の後で結ぶテープ１２を省略しても良い。
また、ブラジャー本体１とカバー体２とは、リボン８と止め具６ではなく、ベルベットクロスファスナー、ボタンとループ等の適宜手段によって係止することも可能である。
【図面の簡単な説明】
【００１１】
【図１】ブラジャーの分解斜視図。
【図２】ブラジャー本体の正面図。
【図３】カバー体をブラジャー本体に装着した状態を示す斜視図。
【符号の説明】
【００１２】
１  ブラジャー本体
２  カバー体
３  土台片
４  カップ部
５  背部バンド
６  止め具
７  筒部
８  リボン
９、９’  大径部
１０  スリット
１１  テープ挿通部
１２  テープ
【図１】
0003118767.tif 000003
【図２】
0003118767.tif 000004
【図３】
0003118767.tif 000005